(57)【要約】【課題】補助電源に依存せず、特別なハードウェアを備えることなく、ソフトウェアにより簡易的な電源異常検知・記録手段を備え、必要な情報を記録することができる電源異常検知方法およびその機能を搭載した医療機器を提供する。【解決手段】装置の運転時刻情報、運転履歴フラグを記録する不揮発性メモリを備え、所定時間ごとに正常運転状態を確認し運転確認時刻を更新すると共に、運転開始時に運転履歴フラッグとして運転中の識別子を検知した場合、停電運転記録領域に最終の運転確認時刻を記録することを特徴とする電源異常検知方法。【選択図】図１
2008104251.tif 000002
【特許請求の範囲】
【請求項１】
装置の運転時刻情報、運転履歴フラグを記録する不揮発性メモリを備え、所定時間ごとに正常運転状態を確認し運転確認時刻を更新すると共に、運転開始時に運転履歴フラグとして運転中の識別子を検知した場合、停電運転記録領域に最終の運転確認時刻を記録することを特徴とする電源異常検知方法。
【請求項２】
該不揮発性メモリに正常運転記録領域、停電運転記録領域および運転履歴フラグの記録領域を備え、
正常運転記録領域に、運転開始時刻を記録し、所定時間ごとに運転状態を確認し運転確認時刻を記録し、正常停止時に運転停止時刻を記録するステップ、
運転履歴フラグとして、運転開始時に運転中、正常停止時に停止中の識別子を記録するステップ、
運転開始時に運転履歴フラグとして運転中の識別子を検知した場合、停電運転記録領域に直近の運転開始時刻および最終の運転確認時刻を停電時刻として記録するステップ、
を備えることを特徴とする請求項１記載の電源異常検知方法。
【発明の詳細な説明】
【技術分野】
【０００１】
本発明は、停電などの電源供給異常に対して、補助電源や主電源異常検知回路などのハードウェアを必要としない検知方法を提供するものである。
【背景技術】
【０００２】
従来の医療用酸素濃縮器においても、情報通信手段や異常情報の記憶手段に関する技術は提案されている。特開平3-143451号公報では、電話回線を通して情報を送達する方法を開示している。本文献により開示された技術は、個々の機台から送られてくる情報の管理が容易となるため、例えばメンテナンスをする管理会社にとって非常に有益な技術である。
【０００３】
さらに特開平6-54910号公報では、運転状態の測定手段を持ち、その測定結果から運転が正常かどうかを判定し、判定結果によっては警報を発生する技術が開示されている。具体的には、たとえば吸着筒内の状態の確認を行なう場合、吸着筒内の圧力を測定するセンサーを具備することにより、吸着直前の低圧の測定及び脱着直前の高圧の測定機能を持たせ、またその値を監視することで、圧縮機の性能低下などに伴う異常状態を判定できる。
【０００４】
一方、特開平7-227516号公報では、ハンディターミナルを利用した機台からの情報採取技術を開示している。この技術により、管理者側は酸素濃縮器の運転データを必要に応じて取り出すことが可能となる。
【０００５】
以上の様に、従来技術では、例えば吸着性能の低下等、正常な運転動作の中での機能低下の確認が可能である。また必要に応じてメンテナンス担当者が装置の使用者を訪問し、情報を抽出することが可能である。
【０００６】
【特許文献１】特開平3-143451号公報
【特許文献２】特開平6-54910号公報
【特許文献３】特開平7-227516号公報
【発明の開示】
【発明が解決しようとする課題】
【０００７】
酸素濃縮器は、異常発生時に原因調査・対策を行なうため、サービスセンターで装置の状態・器台運転記録を元に異常原因解析を行なう。ところが、停電のような電源供給の異常による運転停止が発生した場合、従来の情報通信手段や情報の採取手段も同時に停止するため、役には立たず、転記録を残すための電源手段がないために器台運転記録が残らない。ユーザが停電を認識していない場合には、原因特定が困難となり、考えられる全ての不具合についての調査を行なわなければならず、多大な時間と労力を要する上、正確な解析が行なえないという問題があった。このため、電源供給異常により停止した機械の故障と機器そのものの機械異常との情報の切り分けが望まれている。
【０００８】
停電が発生した場合に、直接停電時の記録を残そうとすると、電池などの補助電源と、主電源異常検知回路、リレー等の電源切り替え回路が必要となり、部品の追加によるコスト・重量の増加につながる。
【課題を解決するための手段】
【０００９】
本発明は、上記の問題を解決するため、補助電源に依存せず、特別なハードウェアを備えることなく、ソフトウェアにより簡易的な電源異常検知・記録手段を備え、必要な情報を記録することができる電源異常検知方法およびその機能を搭載した医療機器を提供する。
【００１０】
すなわち本発明は、装置の運転時刻情報、運転履歴フラグを記録する不揮発性メモリを備え、所定時間ごとに正常運転状態を確認し運転確認時刻を更新すると共に、運転開始時に運転履歴フラグとして運転中の識別子を検知した場合、停電運転記録領域に最終の運転確認時刻を記録することを特徴とする電源異常検知方法を提供する。
【００１１】
また本発明は、かかる不揮発性メモリに正常運転記録領域、停電運転記録領域および運転履歴フラグの記録領域を備え、
正常運転記録領域に、運転開始時刻を記録し、所定時間ごとに運転状態を確認し運転確認時刻を記録し、正常停止時に運転停止時刻を記録するステップ、
運転履歴フラグとして、運転開始時に運転中、正常停止時に停止中の識別子を記録するステップ、
運転開始時に運転履歴フラグとして運転中の識別子を検知した場合、停電運転記録領域に直近の運転開始時刻および最終の運転確認時刻を停電時刻として記録するステップ、
を備えることを特徴とする電源異常検知方法を提供する。
【発明の効果】
【００１２】
従来の機器のように、補助電源を用いてバッテリーバックアップ運転を行なう、異常記録をメモリに書き込む電源を補助電源から供給する方式と比較して、主電源電圧低下検知回路、電源切り替え回路、補助電源などが不要になる。異常発生時には、ソフトウェア処理が一切発生しないため、記録ミスなどのリスクも無い。電池など補助電源によるバックアップなど、ハードウェアによる特別な対応が不要であり、電池管理、交換も不要であり、上記部品重量、体積、コストを大幅に省くことができる。
【発明を実施するための最良の形態】
【００１３】
本発明の電源異常検知方法を、酸素濃縮器を例にして説明する。
本発明は、酸素濃縮器が運転されているときに、停電発生の有無・運転履歴(時刻)などを、ハードウェア・補助電源の追加することなしに、ソフトウェアで記録することにより実現する。電源がない場合でも記憶を保持する手段として外部メモリを用意する。
【００１４】
停電運転記録として「運転開始時刻」 および「停電発生時刻」の記憶領域を用意する。正常運転記録として「運転開始時刻」、「運転終了時刻」、「運転確認時刻」の記憶領域を用意する。また、停電記録の書き込み制御の情報として「運転履歴フラグ」を用意する。
【００１５】
正常運転時には、供給されている電源を利用し、リアルタイムクロックの情報を基にして「運転開始時刻」および「運転終了時刻」を記憶領域に書き込む。また、運転中は一定時間ごと(例えば1時間毎)に「運転確認時刻」を更新する。「運転履歴フラグ」は、運転開始時には必ず「１」にセットされ、正常運転終了時には、「０」にセットされる。
【００１６】
装置運転中に停電が発生した場合には、全く処理が行なわない。運転履歴フラグは終了処理が行なわれないため「１」のままとなる。停電発生した後に電源が復帰し、次回の装置が起動した時には、運転履歴フラグが「１」のままであることより、前回正常に終了されていないことが検知できる。すなわち、停電であったことが分かる。
【００１７】
運転履歴フラグが「１」の場合は、最後の正常運転記録の「運転開始時刻」を停電運転記録の「運転開始時刻」へ、最後の正常運転記録の「運転確認時刻」を停電運転記録の「停電発生時刻」へそれぞれコピーする。上記処理により、停電運転記録に時刻が書き込まれていることにより、停電が発生したことが把握でき、また、停電が発生したときの運転の運転開始時刻と一定範囲内（例えば1時間以内）の誤差での停電発生時刻を把握することが出来る。
記録処理のフローチャートを図１に示す。
【００１８】
装置が起動すると運転履歴フラグが「０」であること、すなわち前回正常に運転が終了したことを確認し、運転履歴フラグを「０」から「１」に更新すると共に、リアルタイムクロックの現在時刻を運転開始時刻および運転確認時刻として記録する。運転確認時刻は１時間毎に更新する。停電発生がなく正常に装置を終了する場合、現在時刻を運転終了時刻として記録し、運転履歴フラグを「１」から「０」に更新する。
装置運転中に停電が発生し装置が停止すると、メモリには装置の運転開始時刻と直近の運転確認時刻および運転履歴フラグ「１」が記録されている。
【００１９】
停電復帰後に装置を再起動した場合、運転履歴フラグは「１」の状態にある。運転履歴フラグが「１」であることを確認した場合は、メモリに記憶されている前回の装置の運転開始時刻と最終の運転確認時刻を各々起動時刻、停止時刻として停電運転記録として記憶する。これにより停電のよる異常停止とその概略停止時刻をハードウェアの変更なしに記憶することが出来る。停電運転記録を行った後は、通常運転に戻り、リアルタイムクロックの現在時刻を運転開始時刻として記録し、１時間毎に運転確認時刻を更新する。
【００２０】
上記実施例では、停電は頻発するものではないことから、停止時刻については1時間程度の精度とし、運転確認時刻は1時間毎の更新記録とした。かかる頻度で記録した場合は、メモリの書き込み回数制限が10万回とすると、11年強の間、メモリを使用できることができる。より時間精度を高めるには更新時刻の間隔を短く設定すればよい。
【００２１】
停電記録情報の記憶領域の大きさは、特に限定するものではなく異常回数分を記憶する領域を確保するのが望ましいが、正常動作に復帰しない場合は医療機器の使用を停止しメンテナンスを行うのが通常動作であることから、使用者による再起動動作の実施、解析動作などを考慮し、例えば5回分といった数回分の記録領域を確保するのが望ましい。正常運転記録の少なくとも1回分の記憶領域、望ましくはクレーム解析用の領域や予備などを考慮し、３回分の記録領域を確保する。
【００２２】
記憶媒体としては、電源が無くても記憶を保持することができ、読み書き可能なフラッシュメモリなどの不揮発性メモリを使用する。
【図面の簡単な説明】
【００２３】
【図１】本発明の電源異常検知方法を示すフローチャート。
【図１】
2008104251.tif 000003